(57)【要約】車輌内装置用に、ユーザの音声プロファイルを選択するシステムは、音声認識システム及びメモリを有する制御モジュールを含む。音声認識システムは、音声信号を処理するよう構成され、少なくとも１人のユーザのユーザ音声プロファイルを生成するよう構成される発話者登録機能を有する。メモリは、発話者登録機能により生成される複数のユーザ音声プロファイルを格納するよう構成される。このシステムは、識別子を含む制御信号を、車輌に送信するよう構成される外部装置を含んでよい。代替的に、システムは、識別子を含む入力コマンドをユーザから受信するよう構成されるユーザ入力装置を含んでよい。制御モジュールは、識別子を使用して、複数のユーザ音声プロファイルからユーザ音声プロファイルを選択し、音声認識システムは、選択されたユーザ音声プロファイルを使用して、ユーザからの音声信号を処理する。【選択図】図２Ａ
2007511399.tif 000002
【特許請求の範囲】
【請求項１】
車輌内の装置用に、ユーザの音声プロファイルを選択するシステムであって；
音声信号を処理するよう構成され、少なくとも１人のユーザのユーザ音声プロファイルを生成するよう構成される発話者登録機能を有する音声認識システムと；
前記音声認識システムに結合され、複数のユーザ音声プロファイルを格納するよう構成されるメモリと；
を含む制御モジュールと；
識別子を含む制御信号を、前記車輌に送信するよう構成される外部装置とを具備し；
前記制御モジュールは、前記識別子を使用して、前記複数のユーザ音声プロファイルからユーザ音声プロファイルを選択し、
前記音声認識システムは、前記選択されたユーザ音声プロファイルを使用して、前記ユーザからの音声信号を処理する
ことを特徴とするシステム。
【請求項２】
前記車輌装置は、ハンズフリー無線通信システムである
ことを特徴とする請求項１に記載のシステム。
【請求項３】
前記ハンズフリー無線通信システムは、ハンズフリー電話システムである
ことを特徴とする請求項２に記載のシステム。
【請求項４】
前記車輌装置は、ナビゲーションシステムである
ことを特徴とする請求項１に記載のシステム。
【請求項５】
前記外部装置は、無線外部装置である
ことを特徴とする請求項１に記載のシステム。
【請求項６】
前記外部装置は、車輌キー或いは着脱可能なメモリ装置である
ことを特徴とする請求項１に記載のシステム。
【請求項７】
前記無線外部装置は、ＲＫＥキーフォブ、無線電話、携帯情報端末、ポケットベル、ポータブル・コンピュータ、受動エントリーキー、スマートカード、光学エントリー装置、或いは磁気エントリー装置、のいずれか１つである
ことを特徴とする請求項５に記載のシステム。
【請求項８】
複数の外部装置が、識別子を含むよう構成され、
前記メモリは、それぞれの外部装置へのユーザの優先傾向を示すユーザ優先順位リストを含む
ことを特徴とする請求項１に記載のシステム。
【請求項９】
前記システムは、自動車内装要素に結合される
ことを特徴とする請求項１に記載のシステム。
【請求項１０】
車輌内の装置用に、ユーザの音声プロファイルを選択するシステムであって；
音声信号を処理するよう構成され、少なくとも１人のユーザのユーザ音声プロファイルを生成するよう構成される発話者登録機能を有する音声認識システムと；
前記音声認識システムに結合され、複数のユーザ音声プロファイルを格納するよう構成されるメモリと；
を含む制御モジュールと；
識別子を含む入力信号をユーザから受信するよう構成されるユーザ入力装置とを具備し；
前記制御モジュールは、前記識別子を使用して、前記複数のユーザ音声プロファイルからユーザ音声プロファイルを選択し、
前記音声認識システムは、前記選択されたユーザ音声プロファイルを使用して、前記ユーザからの音声信号を処理する
ことを特徴とするシステム。
【請求項１１】
前記車輌装置は、ハンズフリー無線通信システムである
ことを特徴とする請求項１０に記載のシステム。
【請求項１２】
前記ハンズフリー無線通信システムは、ハンズフリー電話システムである
ことを特徴とする請求項１１に記載のシステム。
【請求項１３】
前記車輌装置は、ナビゲーションシステムである
ことを特徴とする請求項１０に記載のシステム。
【請求項１４】
前記ユーザ入力装置は、メモリスイッチ、キーパッド、又はバイオメトリック認証装置のうち１つである
ことを特徴とする請求項１０に記載のシステム。
【請求項１５】
前記システムは、さらに、識別子を含む入力コマンドをユーザから受信するよう構成される複数のユーザ入力装置を含み、
前記メモリは、それぞれのユーザ入力装置へのユーザの優先傾向を示すユーザ優先順位リストを含む
ことを特徴とする請求項１０に記載のシステム。
【請求項１６】
前記システムは、自動車内装要素に結合される
ことを特徴とする請求項１０に記載のシステム。
【請求項１７】
車輌内装置用に、ユーザの音声プロファイルを選択する方法であって：
音声認識システムの発話者登録機能を用いて、少なくとも１人のユーザのユーザ音声プロファイルを生成し；
そのそれぞれは異なるユーザに関連する、複数のユーザ音声プロファイルを格納し；
識別子を含む制御信号を受信し；
前記識別子は、前記複数のユーザ音声プロファイルからユーザ音声プロファイルを選択するために使用され、
前記選択されたユーザ音声プロファイルは、前記ユーザからの音声信号を処理するために使用される
ことを特徴とする方法。
【請求項１８】
前記制御信号は、無線外部装置から受信される
ことを特徴とする請求項１７に記載の方法。
【請求項１９】
前記制御信号は、外部装置から受信される
ことを特徴とする請求項１７に記載の方法。
【請求項２０】
車輌内装置用にユーザの音声プロファイルを選択する方法であって：
音声認識システムの発話者登録機能を使用して、少なくとも１人のユーザのユーザ音声プロファイルを生成し；
そのそれぞれは異なるユーザに関連する、複数のユーザ音声プロファイルを格納し；
識別子を含む入力コマンドをユーザから受信し；
前記識別子は、前記複数のユーザ音声プロファイルからユーザ音声プロファイルを選択するために使用され、
前記選択されたユーザ音声プロファイルは、前記ユーザからの音声信号を処理するために使用される
ことを特徴とする方法。
【請求項２１】
前記入力コマンドは、ユーザの入力装置を介して受信される
ことを特徴とする方法。
【請求項２２】
前記ユーザの入力装置は、メモリスイッチ、バイオメトリック認証装置へのキーパッド、のいずれか１つである
ことを特徴とする請求項２１に記載の方法。
【発明の詳細な説明】
【技術分野】
【０００１】
本発明は、例えば無線通信システム等の、音声認識システムを用いる車輌内システム及び装置に関し、特に、車輌内装置或いはシステムに含まれる音声認識システム用のユーザ音声プロファイルを選択するシステム及び方法に関する。
【背景技術】
【０００２】
音声認識システム或いはソフトウエアを用いる、例えばハンズフリー電話システム、ナビゲーションシステム、オーディオシステム等の、多様なシステム及び装置が、車輌内装に提供され得る。ドライバー或いは乗客の個人用携帯電話のハンズフリー使用を許容するハンズフリー電話システムが、車輌用に開発されている。例えば、車輌用ハンズフリー電話システムは、車輌の内装に取り付けられるマイクロフォン及びスピーカ、及び車輌搭乗者からの発話コマンドを処理して例えば電話通話等の電話操作を実行する処理或いは制御回路を含み得る。音声認識は、車輌搭乗者からの発話コマンドを認識して、発呼し、車輌搭乗者からの発話を介して電話番号を受信するために使用される。音声認識システムはまた、他の車輌システム及び装置、例えば、ナビゲーションシステムで、車輌搭乗者からの音声コマンドを認識するために使用される。
【発明の開示】
【発明が解決しようとする課題】
【０００３】
多くの音声認識システムは、ユーザが音声認識システムを彼らの音声に訓練してユーザ音声プロファイルを生成することを許容する。複数の異なるユーザ（例えば、車輌のドライバー及び複数乗客）は、しかしながら、車輌内で、ハンズフリー電話システム或いは他の音声認識を使用可能なシステムを使用し得る。このため、音声認識システム用に、適切なユーザ音声プロファイルを選択するために、車輌内のハンズフリー電話システム或いは他の音声被制御システムのユーザを識別するシステム及び方法が要請される。
【課題を解決するための手段】
【０００４】
ある実施形態によれば、車輌内装置用にユーザ音声プロファイルを選択するシステムは、音声信号を処理するよう構成され、少なくとも１人のユーザのユーザ音声プロファイルを生成するよう構成される発話者登録機能を有する音声認識システムと、該音声認識システムに結合され、複数のユーザ音声プロファイルを格納するよう構成されるメモリとを含む制御モジュールを含む。このシステムはさらに、識別子を含む制御信号を車輌に送信するよう構成される外部装置を含み、ここでこの制御モジュールは、この識別子を用いて、複数のユーザ音声プロファイルからユーザ音声プロファイルを選択し、この音声認識システムは、選択されたユーザ音声プロファイルを用いてユーザからの音声信号を処理する。ある実施形態において、この外部装置は、無線外部装置である。この無線外部装置は、例えば、ＲＫＥキーフォブ、スマートカード、光学エントリー装置或いは磁気エントリー装置であってよい。他の実施形態において、外部装置は、例えば、車輌キー或いは着脱可能なメモリ装置であってよい。他の実施形態において、複数の外部装置は、識別子を含むよう構成され、メモリは、それぞれの外部装置用のユーザの優先傾向を示す優先順位リストを含む。
【０００５】
他の実施形態によれば、車輌内装置用にユーザ音声プロファイルを選択するシステムは、音声信号を処理するよう構成され、少なくとも１人のユーザ用にユーザ音声プロファイルを生成するよう構成される発話者登録システムを有する音声認識システムと、該音声認識システムに結合され、複数のユーザ音声プロファイルを格納するよう構成されるメモリとを含む制御モジュールを含む。このシステムはさらに、識別子を含む入力コマンドをユーザから受信するよう構成されるユーザ入力装置を含み、ここでこの制御モジュールは、この識別子を用いて複数のユーザ音声プロファイルからユーザ音声プロファイルを選択し、この音声認識システムは、選択されたユーザ音声プロファイルを用いてユーザからの音声信号を処理する。このユーザ入力装置は、例えば、ユーザからの音声信号を受信するよう構成されるマイクロフォン、メモリスイッチ、キーパッド、或いはバイオメトリック認証装置であってよい。他の実施形態において、このシステムは、識別子を含む入力コマンドをユーザから受信するよう構成されるユーザ入力装置を含み、メモリは、それぞれのユーザ入力装置用のユーザの優先傾向を示すユーザ優先順位リストを含む。
【０００６】
さらなる実施形態によれば、車輌内装置用にユーザ音声プロファイルを選択する方法は、音声認識システムの発話者登録機能を用いて、少なくとも１人のユーザ用にユーザ音声プロファイルを生成し、複数のユーザ音声プロファイルを格納し、ユーザ音声プロファイルのそれぞれは異なるユーザに関連付けられ、識別子を含む制御信号を受信する各工程を含む。この識別子は、複数のユーザ音声プロファイルからユーザ音声プロファイルを選択するため使用され、選択されたユーザ音声プロファイルは、ユーザからの音声信号を処理するため使用される。
【０００７】
さらに他の実施形態によれば、車輌内装置用にユーザ音声プロファイルを選択する方法は、音声認識システムの発話者登録機能を用いて少なくとも１人のユーザ用にユーザ音声プロファイルを生成し、複数のユーザ音声プロファイルを格納し、それぞれのユーザ音声プロファイルを異なるユーザに関連付けられ、識別子を含む入力コマンドをユーザから受信する各工程を含む。この識別子は、複数のユーザ音声プロファイルからユーザ音声プロファイルを選択するため使用され、選択されたユーザ音声プロファイルは、ユーザからの音声信号を処理するため使用される。
【発明を実施するための最良の形態】
【０００８】
本発明は、添付図面と共に、以下の説明を参照して、より容易に理解される。
【０００９】
図１Ａは、本発明の実施形態に係る車輌内無線通信装置のハンズフリー操作用システムの概略ブロックダイヤグラムである。このシステムは、車輌搭乗者、例えばドライバーが、搭乗者の個人用携帯無線電話１１４を用いて、通信ネットワーク１１６を介して、他の装置或いはシステム１２０にハンズフリー電話を掛けることを、車輌走行中にドライバーが彼／彼女の視線を道路から外し、及び／又は、彼／彼女がハンドルから手を離すことを要求することなく、可能とする。他の車輌搭乗者（例えば、乗客）もまた、このシステムを用いてハンズフリー電話を掛け得る。以下の説明は、無線通信システム、例えばハンズフリー電話システムを参照するが、しかしながら、ここで説明されるシステム及び方法は、言語によるコマンドを用いて制御され、或いは他の装置を制御するため使用される、他の車輌内装置或いはシステムと共に使用されてよく、このため、これらのシステム及び方法は、音声認識システム、特に、発話者登録機能を有する音声認識システムを含み、或いはこれを用いてよい。例えば、例えばナビゲーションシステム、オーディオシステム等のシステムが、音声認識システムを用いてよい。無線通信システム及び、特に、ハンズフリー無線通信システムが、多様な好適な実施形態のディスカッション全体に亘って参照されるが、ユーザ音声プロファイルを選択するシステム及び方法の実施形態は、無線通信システムの使用に限定されないことが理解されるべきである。
【００１０】
図１Ａに示されるシステムは、車輌１００の音声システム１０４と、車輌搭乗者の携帯無線通信装置１１４、例えば無線移動体通信電話（例えば、セルラーフォン、ＰＣＳ型電話或いは他の携帯電話システム）、ハンドヘルドコンピュータ、携帯情報端末（ＰＤＡ）等との間に、無線通信リンクを確立することを可能とする。以下の説明は、無線或いは携帯電話を参照するが、しかしながら、ここで説明されるシステム及び方法は、他の無線通信システム、例えばＰＤＡ（携帯情報端末）、ポータブル・コンピュータ、ポケットベル等と共に使用され得ることが理解されるべきである。
【００１１】
図１Ａに戻り、車輌１００内の無線通信システムはまた、オーディオシステム１０４及びアンテナ１１２に結合される制御モジュール１０２を含む。代替的実施形態において、図１Ｂに示されるように、制御モジュール１０２は、オーディオシステム１０４内に組み込まれる。図１Ａに戻り、アンテナ１１２は、制御モジュール１０２の無線周波トランシーバ１４０と共に、無線電話１１４との双方向通信を可能とする。無線周波トランシーバ１４０は、無線通信装置１１４への信号送信及びこれからの信号受信をするよう構成される。無線周波トランシーバ１４０は、あらゆる多様なデータ送信フォーマット、例えばＢｌｕｅｔｏｏｔｈ通信プロトコル、ＩＥＥＥ８０２．１１通信プロトコル、或いは他のパーソナル・エリア・ネットワークプロトコル、或いは他の無線通信プロトコル或いはデータフォーマットで、無線データ（音声データを含む）を送受信するよう構成されるアナログ及び／又はデジタルコンポーネントを含む通信回路であってよい。無線通信装置１１４は、複数のトランシーバ回路、例えばトランシーバ１４０と通信するよう構成されるＢｌｕｅｔｏｏｔｈトランシーバ回路、及び無線通信フォーマット（例えば、ＣＤＭＡ，ＴＤＭＡ等）を使用して無線通信ネットワーク１１６と通信するよう構成されるセルラートランシーバ回路を含んでよい。
【００１２】
制御モジュール１０２はまた、ユーザインターフェース１１０及びマイクロフォン１０８に結合される。ユーザインターフェース１１０は、車輌搭乗者から入力コマンドを、例えば、プッシュボタン、スイッチ、キーパッド、タッチスクリーンディスプレイ等を介して受信するために使用される。代替的に、入力コマンドは、車輌搭乗者からの一連の音声信号であってよい。例えば、車輌搭乗者は、直接マイクロフォンに発話して、制御モジュール１０２にコマンドを供給してよい。発話されたコマンドは、搭乗者が発声する或いは供給して無線通信システム或いは他のシステムに機能を実行されるあらゆる語であってよい。マイクロフォン１０８は、車輌搭乗者から発話コマンドを受信するよう構成される１つ又は複数のマイクロフォンであってよい。制御モジュール１０２内の音声認識システム（或いはソフトウエア）１２２は、マイクロフォン１０８により受信されるオーディオ信号（例えば、音声コマンド）を処理して、発話コマンド中の語或いは句を認識するために使用され得る。本技術分野で公知の音声認識技術は、音声認識システム１２２内に実装され得る。例えば、音声認識システム１２２は、例えば、ＩＢＭコーポレーション社製造のｅｍｂｅｄｄｅｄ  Ｖｉａ  Ｖｏｉｃｅ（登録商標）のようなあらゆる音声認識ソフトウエア或いはエンジンを備えてよい。
【００１３】
制御モジュール１０２はまた、例えば、小型ブラウン管（ＣＲＴ）、液晶ディスプレイ（ＬＣＤ）、或いは夜間同様日中にも容易に可視的である多様な他の形態のディスプレイを備え得るディスプレイ１０６に結合され得る。制御モジュール１０２は、アナログ／デジタルの電気或いは電子コンポーネントを備えてよく、多様な入力／出力、制御、分析及びここで説明される他の機能を実行するよう構成される、マイクロプロセッサ、マイクロコントローラ、特定用途集積回路（ＡＳＩＣ）、プログラマブル・ロジック及び／又は他のアナログ及び／又はデジタル回路素子を含んでよい。制御モジュール１０２はまた、揮発性及び不揮発性メモリを含む、例えば、ここで説明される機能を実行するコンピュータプログラム或いは他のソフトウエアを格納するメモリ１２４を含んでよい。図１Ａに示される車輌１００内のそれぞれの要素は、同じ或いは異なる内部車輌要素、例えば、ダッシュボード、計器パネル、オーバーヘッドコンソール、バイザー、バックミラー、或いは車輌内の他の適切な位置に取り付けられ得る。好適には、ユーザインターフェース１１０、マイクロフォン１０８、及びディスプレイ１０６は、車輌搭乗者、特にドライバーに便宜である位置に取り付けられる。
【００１４】
オーディオシステム１０４は、例えば、ラジオ、アンプ、及び、車輌搭乗者にオーディオ信号を供給するよう構成される少なくとも１つのスピーカ（２２８、図２）を含んでよい。スピーカは、制御モジュール１０２及び／又は他の車輌システムからオーディオ出力データ（例えば、他方からの通話への可聴式通信、制御モジュール１０２により生成される情報プロンプト或いは他のメッセージ）を受信するよう構成される。スピーカは、車輌オーディオシステム１０４の部分であってよく、或いは、制御モジュール１０２のみに役立つ専用スピーカであってよい。ある実施形態において、オーディオシステム１０４は、米国特許５，８１０，４２０に開示された音声記録／再生システムを含んでよく、この記載は、参照により本開示の一部をなす。
【００１５】
上記のとおり、制御モジュール１０２は、無線通信リンクを介して、無線通信装置１１４、例えば、無線電話にリンクされる。異なる搭乗者が通信システムを使用するとおり、通信リンクは、異なる無線電話と確立されてよい。通信リンクは、例えば、ユーザからユーザインターフェース１１０を介して受信されるコマンド、或いはマイクロフォン１０８により受信される言語信号に応答して、確立され得る。無線通信リンクは、無線通信標準規格に基づいて動作する。無線通信標準規格は、好適には、Ｂｌｕｅｔｏｏｔｈ通信標準規格であるが、しかしながら、例えば、共有無線アクセスプロトコル−コードレスアクセス（ＳＷＡＰ−ＣＡ）規格、ＩＥＥＥ８０２．１１通信プロトコル、或いは音声及び／又はデータ情報の送信を可能にする、あらゆる他の好適なパーソナル・エリア・ネットワーク或いは無線通信規格であってよい。従って、無線電話１１４は、無線通信リンクの無線通信標準に従って動作し、或いはこれと通信することが可能になる。
【００１６】
制御モジュール１０２及び無線電話１１４の間の通信リンクは、通話発信及び受信を含む、車輌搭乗者によるパーソナル無線電話のハンズフリー使用を可能とする。例えば、ユーザは、無線電話１１４で番号をダイヤルして、発話し、その後通話が、マイクロフォン１０８及びオーディオシステム１０４の間で実行され得る。代替的に、通話は、コマンド及びマイクロフォン１０８に発話された番号を介して発行され、無線通信リンクを介して無線電話１１４に送信され得る。通話及び情報は、また、制御モジュール１０２により、無線電話１１４から、無線通信リンクを介して受信され得る。受信されるオーディオ情報は、ユーザへ、オーディオシステム１０４を介して供給され得、無線電話１１４から受信されるデータは、ディスプレイ１０６上に表示され得る。無線装置１１４は、車輌１００に近接するあらゆる場所、例えば搭乗者のポケット或いはブリーフケース内、トランクの中、或いはトランシーバ１４０との通信範囲内に位置づけられ得る。
【００１７】
通話発信には、マイクロフォン１０８を介して受信されるオーディオ信号は、制御モジュール１０２により処理され、無線電話１１４に、適切なデータフォーマット、例えば、Ｂｌｕｅｔｏｏｔｈ通信標準規格に基づくフォーマットで送信される。無線電話１１４は、制御モジュール１０２から受信される信号を、車輌搭乗者の無線電話１１４に関連する無線サービスプロバイダの適切なセルラー或いは無線技術（例えば、アナログ、デジタル、ＣＤＭＡ，ＴＤＭＡ，ＧＳＭ等）に変換する。変換された信号は、その後、無線電話１１４により、通信ネットワーク１１６（例えば、セルラー電波塔）に送信され、所望の終端装置或いはシステム１２０に送信される。例えば、セルラー電波塔は、無線電話１１４からの信号を受信し、この信号を“固定電話”信号に変換し、この信号を交換網を介して、発呼先電話に送信してよい。典型的には、通信プロセスの多様な段階において、信号は、例えば、ノイズ、エコー等を低減するよう処理される。例えば、制御モジュール１０２は、マイクロフォン１０８から受信される信号を処理して、車輌からのノイズを低減してよい。
【００１８】
上記のとおり、ユーザは、制御モジュール１０２に、マイクロフォン１０８を介して言語コマンドを供給し得る。従って、制御モジュール１０２は、音声コマンドを処理するため使用される音声認識システム１２２を含む。上記で説明したとおり、本技術分野で公知である音声認識技術、例えば、ＩＢＭコーポレーション社製造のｅｍｂｅｄｄｅｄ  Ｖｉａ  Ｖｏｉｃｅ（登録商標）等のあらゆる音声認識ソフトウエア或いはエンジンが、音声認識システム１２２に実装され得る。好適には、音声認識システム１２２は、ユーザが音声認識システムを彼らの音声及び方言に訓練することを可能とする発話者登録機能を含む。この発話者登録機能は、典型的には、音声認識システム１２２の能力を向上させて、ユーザにより供給される音声コマンドを認識及び処理する。複数のユーザは、それぞれ、発話者登録システムを使用して、音声認識システム１２２を訓練してよい。例えば、第１のユーザは、所定の語、句、或いは文章を、マイクロフォン１０８に発話してよい。訓練シーケンスは、例えば、ユーザが、ユーザインターフェース１１０の入力装置を作動することにより、或いはマイクロフォン１０８により受信される言語コマンドを供給することにより、始動され得る。発話者登録機能は、第１のユーザの音声及び方言を処理し、第１のユーザのユーザ音声プロファイルを生成する。ユーザ音声プロファイルは、音声認識システム１１２に結合されるメモリ１２４に格納され得る。ユーザ音声プロファイルはまた、第２のユーザ、第３のユーザ用に生成され得る。従って、適切なユーザ及びユーザ音声プロファイルが、選択され、これにより、音声認識システム１２２は、適切な音声パターンを使用して、ユーザからの音声コマンドを処理する。
【００１９】
図２Ａは、本発明の実施形態に係るハンズフリー無線通信システム用のユーザプロファイル選択システムの概略ブロックダイヤグラムである。上記のとおり、ユーザ音声プロファイルを選択するシステムは、音声認識システム、例えば図２Ｂに示されるナビゲーションシステムを含む、或いはこれを使用し得る、車輌内の他の装置と共に使用されてよい。図２Ｂにおいて、トランシーバ２０２は、音声被制御装置２０２（例えば、ナビゲーションシステム）内に一体化され、或いは、車輌内のあらゆる場所に位置づけられ、音声被制御装置２０２に結合され得る。図２Ａに戻り、制御モジュール２０２は、音声認識システム２２２及びメモリ２２４を含み、マイクロフォン２０８及びオーディオシステム２０４に結合される。オーディオシステム２０４は、例えば、ラジオ／アンプ２２６及びスピーカ２２８を含む。図１Ｂに関して説明されたとおり、ある実施形態において、制御モジュール２０２は、オーディオシステム２０４内に組み込まれる。音声認識システム２２は、図１Ａに関して説明されたとおり、発話者登録機能を含む。複数のユーザ用に音声登録機能により生成されるユーザ音声プロファイルは、メモリ２２４内に格納され得る。ある実施形態において、それぞれのユーザ音声プロファイルは、ユーザにより例えばユーザインターフェース２１０、例えばメモリスイッチ、数値キーパッド等を用いて選択され得るメモリ位置識別子に割り当てられる。ユーザが識別子を入力し、或いはメモリスイッチを作動すると、音声認識システム２２２は、適切なユーザ音声プロファイルを検索する。代替的に、ユーザの声紋が、適切なユーザ音声プロファイルを識別するために使用されてよい、即ち、ユーザがマイクロフォン１０８に向かって発話すると、音声認識システム２２２は、その音声によりユーザを識別するよう構成され得る。
【００２０】
他の実施形態において、外部無線装置２３６は、識別子を提供して、メモリ２２４に格納されるユーザ音声プロファイルを選択するため使用され得る。例えば、リモート・キーレス・エントリー（ＲＫＥ）キーフォブ２３４は、無線（ＲＦ）周波制御信号を車輌に無線送信して、車輌装置２３６、例えばドアロック、ウインドウ等の機能を制御するため使用される。制御信号は、ユーザ音声プロファイルの識別子を含むよう構成され得る。制御モジュール１０２は、ＲＫＥキーフォブ２３４により供給される制御信号から情報を搬送し得る車輌データバス２３４に結合され、これにアクセスする。制御信号に受信直後に（例えば、ユーザがキーフォブを作動して、制御信号を送信した後）、識別子は、音声認識システム２２２により使用され、適切なユーザ音声プロファイルが選択されてよい。従って、特定ユーザ用の音声パターンは、音声認識システムにより使用され、ユーザからの音声信号が処理され得る。代替的に、無線携帯通信装置２３０、例えば、セルラーフォンは、識別子を送信し、この識別子は、制御モジュール２０２及び音声認識システム２２２により使用され、適切なユーザ音声プロファイルが選択され得る。例えば、Ｂｌｕｅｔｏｏｔｈ利用可能電話は、制御モジュール２０２に接近し、無線通信リンクが確立される場合に、識別子を送信し得る。他の外部無線装置２３６、例えば、ＰＤＡ、ポータブル・コンピュータ、ポケットベル、受動エントリーキー、スマートカード、光学（例えば、赤外線）或いは磁気エントリー装置等がまた、識別子を送信するため使用され得る。
【００２１】
さらに他の実施形態において、識別子は、外部装置２３２、例えば車輌キーにより供給され得る。車輌キーが車輌のドアロックに挿入された場合、ユーザ及び／又はユーザ音声プロファイルの識別子を含む制御信号は、車輌のバスに送信され得る。上記のとおり、制御モジュール２０２は、車輌バス２３４に結合され得る。制御信号は、車輌キーから車輌バスへ、ドアロックの電気的接触を介して送信され得る。
【００２２】
代替的に、ユーザ及び／ユーザ音声プロファイルを含む、及び／又はこれをポイントするキーレス・エントリー・コードが、使用され得る。ユーザが、ユーザ入力装置、例えば車輌ドアのキーパッドを用いて、キーレス・エントリー・コードを入力すると、キーレス・エントリー・コードにより供給され、或いは識別されるデータは、制御モジュール２０２が利用可能な車輌パス上に送信され得る。他の実施形態において、バイオメトリック認証装置、例えば光学スキャナ或いは指紋認証装置は、ユーザ及び／又はユーザ音声プロファイル用の識別子を供給するため使用され得る。さらに他の実施形態において、着脱可能メモリ装置は、ユーザ及び／又はユーザ音声プロファイル用の識別子を供給するため使用され得る。例えば、着脱可能メモリ装置への入力は、制御モジュール２０２に、或いは車輌内の他の位置に供給され得る。上記のとおり、制御モジュール２０２は、好適には、車輌バスに結合されて、車輌内の他の装置からのデータにアクセスする。
【００２３】
ある実施形態において、制御モジュール２０２は、ユーザ音声プロファイルを識別するため使用される装置の優先順位付けを含むよう構成され得る。ユーザは、どの装置がユーザ音声プロファイルを識別するために使用されるかを示す、メモリ２２４内に格納され得る優先順位リストを提供してよく、例えば、ユーザは、キーフォブが該ユーザを識別する主要な手段であることを指示してよい。代替的に、制御モジュールは、ユーザに、例えば、ディスプレイ或いはユーザインターフェース２１０により、多様な装置間にミスマッチがあるかどうか、プロンプトして、ユーザ音声プロファイルを選択してよい。
【００２４】
図３は、本発明の実施形態に係る音声認識システムを含む、或いはこれを使用する車輌内装置用のユーザ音声プロファイル選択方法を示す。ブロック３０２において、ユーザは、車輌装置（例えば、ハンズフリー電話システム、ナビゲーションシステム等）に関連して、音声認識システムの発話者登録機能用に訓練シーケンスを開始する。この訓練シーケンスは、例えば、ユーザが、ユーザインターフェースの入力装置を作動することにより開始され得る。ユーザは、例えば、ユーザが所定の語、句、及び／又は文章をマイクロフォンへ発話する一連のステップを実行してよい。発話者登録機能は、ユーザの音声及び方言を処理し、ブロック３０４で、ユーザ音声プロファイルを生成する。ブロック３０６で、ユーザ音声プロファイルは、音声認識システムのメモリ内に格納され得る。ブロック３０８で、制御モジュール及び／又は音声認識システムは、識別子を受信し、この識別子により、音声認識システムは、ブロック３１０でユーザ音声プロファイルを選択することが可能となる。図２を参照して上記で説明されたとおり、多様な外部装置及び／又はユーザ入力装置は、ユーザ及び／又はユーザ音声プロファイルを選択するために使用される識別子を提供するため、使用され得る（ブロック３１０）。例えば、ユーザ・インターフェースは、ユーザ音声プロファイルのメモリ位置を選択するため使用され得、又は、外部無線装置（例えば、キーフォブ、無線電話）、外部装置（例えば、車輌キー）、キーレス・エントリー・コード等は、ユーザ及び／又はユーザ音声プロファイル用の識別子を提供するため使用され得る。
【００２５】
好適な及び他の実施形態において示されたシステム及び装置の構造及び配置は、例示的に過ぎないことに注意すべきである。本開示においては、本発明の２，３の例示的実施形態のみが詳細に説明されたが、本開示をレビューする当業者は、本発明の新規な教示及び利点から本質的に逸脱することなく、これらの実施形態に多数の変更（例えば、サイズ、寸法、構造、多様な要素の形状及び比率、パラメータ値、取り付け配置、材料、色彩、配向等における変形）が可能であることを容易に理解する。従って、こうした変形のすべては、以下のクレームにより規定される本発明の範囲内にあることを意図するものである。
【００２６】
あらゆるプロセス或いは方法のステップの順序或いは手順は、代替的実施形態に基づいて、変更或いは再順序化され得る。クレームにおいて、他の置換え、変形、変更及び／又は省略は、添付クレームに表現された本発明の要旨から逸脱することなく、好適な及び他の例示的実施形態の設計、動作条件、配置においてなし得る。
【図面の簡単な説明】
【００２７】
【図１Ａ】図１Ａは、本発明の実施形態に係る車輌内の無線通信装置のハンズフリー操作用システムの概略ブロックダイヤグラムである。
【図１Ｂ】図１Ｂは、本発明の他の実施形態に係る車輌内の無線通信装置のハンズフリー操作用システムの概略ブロックダイヤグラムである。
【図２Ａ】図２Ａは、本発明の実施形態に係るハンズフリー無線通信システム用のユーザ音声プロファイル選択システムの概略ブロックダイヤグラムである。
【図２Ｂ】図２Ｂは、本発明の実施形態に係る車輌内音声被制御装置用の音声プロファイル選択システムの概略ブロックダイヤグラムである。
【図３】図３は、本発明の実施形態に係る車輌内装置用のユーザ音声プロファイル選択方法を図示する。
【図１Ａ】
2007511399.tif 000003
【図１Ｂ】
2007511399.tif 000004
【図２Ａ】
2007511399.tif 000005
【図２Ｂ】
2007511399.tif 000006
【図３】
2007511399.tif 000007
【国際調査報告】
2007511399.tif 000008
2007511399.tif 000009